(57)【要約】【課題】着脱が容易であり、十分な強度で固定することができる竿装着型の釣竿保持具を提供する。【解決手段】釣竿保持具１０は、第１の固定座１２、第２の固定座１４、２本の脚１６が備えられた脚座１８、蝶番２０、３個の蝶ボルト２２、２４、２６で構成されている。第１の固定座１２と第２の固定座１４は、対向する面にそれぞれ縦方向に形成された竿受け溝２８、３０の間に釣竿を挟み込み、蝶ボルト２２、２４を締めて釣竿に固定する。脚座１８は第１の固定座１２と蝶番２０で連結され、蝶番２０を中心として回動可能であり、第１の固定座１２に対する角度を変えることができる。蝶ボルト２６を締めると２本の脚１６と竿尻の３点で釣竿を支持することができ、釣竿を待機姿勢に保持することができる。【選択図】図１
0003167651.tif 000002
【実用新案登録請求の範囲】
【請求項１】
少なくとも何れか一方に竿受け溝が設けられた第１の固定座および第２の固定座と、前記第１の固定座に対して回動可能に連結された脚座と、前記脚座に設けられた脚と、前記第１の固定座と前記第２の固定座に設けられた第１の雌ねじに前記第２の固定座側から螺着させる第１の雄ねじと、前記脚座と前記第１の固定座に設けられた第２の雌ねじに前記脚座側から螺着させる第２の雄ねじを備えた、釣竿保持具。
【考案の詳細な説明】
【技術分野】
【０００１】
本考案は、釣竿を所定の姿勢に保持可能な竿装着型の釣竿保持具に関する。
【背景技術】
【０００２】
従来、釣竿保持具に関して様々な発明や考案がなされている。これらの保持具のうち竿に直接装着して使用する竿装着型のものとして、例えば特許文献１に開示されたものがある。この保持具は、２本の脚を取り付けたクリップを釣竿に挟み付けて装着する点に特徴あり、着脱が簡単で、また脚を釣竿と平行に折り曲げることができるので、釣竿に装着したままの状態での持ち運びにも適したものになっている。
【先行技術文献】
【特許文献】
【０００３】
【特許文献１】実開平５−７０７８号公報
【考案の概要】
【考案が解決しようとする課題】
【０００４】
特許文献１に開示された保持具のように釣竿に対する装着部分にクリップを用いた場合、着脱に関しては容易ではあるが、クリップに使用されているばねの弾性力はさほど強力ではないため、十分な強度で保持具を釣竿に固定できないという問題が生じる。釣竿には魚の捕獲時、特に大型魚の捕獲時には非常に大きな荷重がかかるため、十分な強度で固定されていない保持具であれば簡単に釣竿から外れてしまい、本来の役割を果たすことができない。また釣り針の投入時に釣竿を大きく振るときにも外れる可能性もある。
【０００５】
本考案は、従来の竿装着型の釣竿保持具に存在した前記の課題を解決するため、着脱が容易であり、十分な強度で固定することができる竿装着型の釣竿保持具を提供するものである。
【課題を解決するための手段】
【０００６】
本考案が提供する釣竿保持具は、少なくとも何れか一方に竿受け溝が設けられた第１の固定座および第２の固定座と、前記第１の固定座に対して回動可能に連結された脚座と、前記脚座に設けられた脚と、前記第１の固定座と前記第２の固定座に設けられた第１の雌ねじに前記第２の固定座側から螺着させる第１の雄ねじと、前記脚座と前記第１の固定座に設けられた第２の雌ねじに前記脚座側から螺着させる第２の雄ねじを備えたものである。
【０００７】
竿受け溝は第１の固定座と第２の固定座の間に釣竿を挟み込むために設けられた溝である。竿受け溝の好ましい態様としては、第１の固定座と第２の固定座の両方に釣竿の外周と係合する曲面を有する溝を形成することが挙げられる。その他にも何れか一方にのみ溝を形成してもよく、また溝の形状を曲面以外で構成することも可能である。
【０００８】
釣竿保持具は、第１の固定座と第２の固定座の間に挟み、両固定座を第１の雄ねじで固定することで釣竿に固定することができる。ねじの締め付け力によって釣竿に強力に固定することができるため、釣竿を安定した姿勢に保持することができる。ねじ式なので着脱も容易である。
【０００９】
釣竿保持具を釣竿に装着した状態で脚座と第１の固定座を第２の雄ねじで固定し、脚座に設けられた脚と釣竿の手元側の端部を接地させると、釣竿は先端側を掲げた姿勢に保持される。ねじを緩めて脚座と第１の固定座の固定を解除し、脚座を回動させて脚を釣竿と平行にすれば、釣竿を持ち運ぶ際に邪魔にならない。
【考案の効果】
【００１０】
本考案の釣竿保持具は、第１の固定座と第２の固定座の間に釣竿を挟み、両固定座をねじで固定するため、魚の捕獲時や釣竿を振った際に釣竿から脱落することがなく、釣竿を安定した姿勢に保持することができる。
【図面の簡単な説明】
【００１１】
【図１】釣竿保持具の正面図
【図２】釣竿保持具の側面図
【図３】釣竿保持具を釣竿に装着した状態を示す斜視図
【図４】釣竿保持具を釣竿に装着した状態を示す斜視図
【考案を実施するための形態】
【００１２】
釣竿保持具１０は、第１の固定座１２、第２の固定座１４、２本の脚１６が備えられた脚座１８、蝶番２０、３個の蝶ボルト２２、２４、２６で構成されている。第１の固定座１２と第２の固定座１４は、対向する面にそれぞれ縦方向に形成された竿受け溝２８、３０の間に釣竿３２を挟み込み、蝶ボルト２２、２４を締めて釣竿３２に固定する。
【００１３】
脚座１８は第１の固定座１２と蝶番２０で連結されている。脚座１８は蝶番２０を中心として回動可能であり、第１の固定座１２に対する角度を変えることができる。蝶ボルト２６を締めることで脚座１８を第１の固定座１２に固定することができる。脚座１８を固定すると２本の脚１６が釣竿３２と直交する方向に延びた状態で固定されるため、釣竿３２を２本の脚１６と竿尻の３点で支持することができ、当たりを待つ待機姿勢に保持することができる。
【００１４】
第１の固定座１２は概略直方体の形状を有し、上面の中央部に竿受け溝２８が縦方向に形成されている。竿受け溝２８の両側には雌ねじ孔３４が形成されている。また下面には雌ねじ孔３６が形成されている。
【００１５】
第２の固定座１４は下面の中央部に竿受け溝３０が縦方向に形成されている。上面は竿受け溝３０に沿って中央部１４ａが隆起しており、その両側の平坦部には雌ねじ孔３８が形成されている。
【００１６】
竿受け溝２８、３０はそれぞれ釣竿３２の外周と係合する曲面に形成されている。
【００１７】
第１の固定座１２の雌ねじ孔３４と第２の固定座１４の雌ねじ孔３８には第２の固定座１４側から蝶ボルト２２、２４が螺着する。蝶ボルト２２、２４を締めることで第１の固定座１２を釣竿３２に固定することができる。
【００１８】
第１の固定座１２の釣竿３２の長さ方向における一方の側面１２ａには蝶番２０の一片がねじ留めされており、他の一片は脚座１８の側面１８ａにねじ留めされている。脚座１８には雌ねじ孔４０が形成されている。第１の固定座１２の雌ねじ孔３６と脚座１８の雌ねじ孔３８には脚座１８側から蝶ボルト２６が螺着する。蝶ボルト２６を締めることで脚座１８を第１の固定座１２に固定することができる。
【００１９】
２本の脚１６は脚座１８の下面１８ｂに対して横方向に傾いた角度で設けられており、下面１８ｂから離れるに従って互いの距離が広がるようになっている。釣竿３２を待機姿勢に保持するときには蝶ボルト２６を締めて脚座１８を第１の固定座１２に固定する。これにより釣竿３２は２本の脚１６と竿尻の３点支持で安定した姿勢に保持される。
【００２０】
蝶ボルト２６を緩めて脚座１８と第１の固定座１２の固定を解除すれば、第１の固定座１２に対する脚座１８の角度を変えることができ、脚１６を釣竿３２と平行な姿勢にすることができる。例えば脚１６の素材として弾性変形が可能なピアノ線などを用いれば、脚１６を緩やかに変形させて釣竿３２の表面に沿わせた状態で紐やゴムなどの締結具を用いて固定することができる。
【００２１】
釣竿保持具１０の着脱は２本の蝶ボルト２２、２４の締めまたは緩め作業のみで行うことができるため、着脱に手間や時間がかからず、速やかに魚釣の準備をすることができる。また蝶ボルト２２、２４の締め具合を調整することで様々な太さの釣竿３２に対応することができる。この場合、竿受け溝２８、３０と釣竿３２の間にゴムなどを介在させることで密着度が高まり、釣竿保持具１０をより強固に固定できるようになる。
【００２２】
なお脚１６にはピアノ線以外の金属やカーボン、プラスチックなど様々な素材のものを用いることができる。特に市販の伸縮式アンテナを用いれば脚の長さの調整が可能になり、釣竿３２の傾きを容易に調整することができる。
【符号の説明】
【００２３】
１０              釣竿保持具
１２              第１の固定座
１４              第２の固定座
１６              脚
１８              脚座
２０              蝶番
２２、２４、２６  蝶ボルト
２８、３０        竿受け溝
３２              釣竿
【図１】
0003167651.tif 000003
【図２】
0003167651.tif 000004
【図３】
0003167651.tif 000005
【図４】
0003167651.tif 000006